(57)【要約】【課題】光コネクタ装置が光アダプタに挿入され、光コネクタ装置のロックレバーの係止部が光アダプタの係止孔に係合しロックされた状態において、光コネクタ装置に意図しない強制的引き抜き作用が働いたり、光コネクタ装置の周囲から障害物がロックレバーに不用意に圧接したりした場合でも前記係止部が下方に撓んでしまうのを防止でき、光アダプタの係止孔からの光コネクタ装置の不用意な抜去を未然に防止できるものとする。【解決手段】タブ１１先端に係止作動部１５を形成し、当該タブ１１を左右何れかの方向に回転することで、ロックレバー４の下方への動きをタブ１１の係止作動部１５によって制限可能に形成したものとする。【選択図】図１
2020042091.tif 000002
【特許請求の範囲】
【請求項１】
フェルールが各保持された左右一対のフェルールハウジングと、該フェルールハウジングに装着されるスライドカバーと、前記左右一対のフェルールハウジングを挟むようにスライドカバーの中央に形成されたタブスライドガイド孔と、該タブスライドガイド孔の上部壁面にコネクタ挿抜方向に平行にして突設し片持支持された状態となって弾性変形可能となしたロックレバーと、前記スライドカバーの後方側からタブスライドガイド孔に挿入された回転操作可能なタブと、によって形成された光コネクタであって、前記タブ先端に係止作動部が形成され、当該タブを左右何れかの方向に回転させることで、ロックレバーの動きを前記タブの係止作動部によって制限可能に形成したことを特徴とする光コネクタ。
【請求項２】
前記タブの係止作動部は、正面視で矩形、長円形、楕円形、小判型のいずれかの形状を呈していることを特徴とする請求項１記載の光コネクタ。
【請求項３】
前記タブの係止作動部の長手方向両側辺の中央には凸部が各形成されており、当該タブを回転させることで、前記タブスライドガイド孔の下部内壁面に形成された下側凹条部に一方辺側の凸部が係合され、前記下側凹条部に対向する前記ロックレバーの下面に形成された上側凹条部に他方辺側の凸部が係合されることを特徴とする請求項２記載の光コネクタ。
【請求項４】
前記タブには、前記タブスライドガイド孔の内壁面に摺接支持される支持突起を有し、前記ロックレバーの下面には、前記タブの係止作動部側先端が摺接挟持される左右一対の係止突部を備えていることを特徴とする請求項１または３記載の光コネクタ。
【請求項５】
前記タブの後端側に大径の取っ手を備え、該取っ手には窪み部または凸状部が形成され、該窪み部または凸状部は、前記タブの回転による前記係止作動部の姿勢がどのような位置であるかを示す指示部として機能するよう形成したことを特徴とする請求項１乃至４のいずれか記載の光コネクタ。
【請求項６】
前記タブは、その係止作動部の長さ方向が水平位置を保持することでロックレバーに対するロック解除状態となし、前記タブを角度９０°回して前記係止作動部の長さ方向が垂直位置を保持することでロックレバーに対するロック状態となすことを特徴とする請求項１乃至５のいずれか記載の光コネクタ。
【発明の詳細な説明】
【技術分野】
【０００１】
本発明は、タブの操作により光アダプタに対する光コネクタプラグの係脱を可能にした光コネクタに関する。
【背景技術】
【０００２】
従来、光コネクタの例えば上部壁面には、弾性変形（復帰）可能なフックアーム状の後述するロックレバー、係止アーム等がコネクタ挿抜方向に平行にして配されており、この係止部が光アダプタの係止孔に係合することで、光アダプタに対する光コネクタの不用意な抜脱が防止されている。この係止部は、光コネクタに装着される後述するスライドシャフト、ロック解除部材、係止解除操作アーム等の引き出し操作を介して下方に移動し、光アダプタに対するロックが解除され、光アダプタから光コネクタが抜去される構成となっている。
【０００３】
具体的には特許文献１に示すように、コネクタ本体内に移動可能に挿入されて、コネクタ本体内に挿入された部分に係合溝を有し、指掛け部が光コネクタの外側に突出したスライドシャフトと、前記コネクタ本体内に回転可能に支持されて、ロック爪と、前記スライドシャフトの係合溝に挿入される操作用突出部を設けたロックレバーと、前記コネクタ本体、スライドシャフトならびにロックレバーを覆うように前記コネクタ本体に装着されるカバーを備え、前記ロックレバーがスライドシャフトとカバーの間に介在され、光コネクタを相手側のソケットに装着した状態で、前記ロック爪が前記光コネクタから突出して、前記ソケットに設けられているロック部と係合し、前記指掛け部を引くと、スライドシャフトの移動に伴って前記係合溝の側面が前記操作用突出部に当接し、さらに前記スライドシャフトを引っ張ると前記ロックレバーが回転軸を中心にして回転して、前記ロック爪が前記ロック部から外れる構成による光コネクタが公知である。
【０００４】
また、特許文献２に示すように、ロックレバーに設けられるロック用の爪部とロック解除用操作部と、上下方向において前記爪部が突設された外側上方向と逆にして内側下方向に突出され垂設された係止部が設けられ、ロック解除部材が、光コネクタの本体部の上下左右方向のうち少なくとも一方向における幅寸法内に位置して設けられ、該ロック解除部材の先端部が、抜去方向に引かれた時に前記ロックレバーの係止部に係合して当該ロックレバーをロック解除方向に弾性変形させるように形成されているコネクタのロック解除構造が公知である。
【０００５】
さらに、特許文献３に示すように、相手部品に挿入される本体の、相手部品に挿入される部分よりも嵌合方向後方に後端が固定されて、該嵌合方向前方に、前記相手部品に挿入される位置まで片持ち梁状に延び、先端部に、外向きに立ち上がって該相手部品に係止する係止突起を有する係止アームと、前記係止アームの先端から、前記外向きとは逆向きに延び、さらに該係止アームとは離間したまま該係止アームに沿って、前記嵌合方向後方に、前記本体から後方に突出する位置まで延び、該後方に引く操作を受けて前記係止アームを前記逆向きに撓ませることにより前記係止突起による前記相手部品への係止を解除させる係止解除操作アームとを備えたコネクタが公知である。
【先行技術文献】
【特許文献】
【０００６】
【特許文献１】特許第４６３０９２４号公報
【特許文献２】特許第４８４３００６号公報
【特許文献３】特許第６００６５７５号公報
【発明の概要】
【発明が解決しようとする課題】
【０００７】
しかしながら、前記した特許文献１によれば、スライドシャフトを引っ張るとロックレバーが回転軸を中心にして回転しロック爪がロック部から外れる構成となっていることから、ロック爪の下部側には隙間が常に存在する。このため光コネクタに意図しない強制的引き抜き作用が働いたり、光コネクタの周囲から障害物が不用意にロック爪に圧接したりした際には、ロックレバーが回転軸を中心にして回転しロック爪がロック部から容易に外れてしまう虞がある。
【０００８】
また、前記した特許文献２によれば、ロック解除部材の先端部が、抜去方向に引かれた時にロックレバーの係止部に係合して当該ロックレバーをロック解除方向に弾性変形させるため、前記ロックレバーの係止部はロック解除部材の係止孔において下方へ移動可能な隙間が常に存在する。このため光コネクタに意図しない強制的引き抜き作用が働いたり、光コネクタの周囲から障害物が不用意にロックレバーのロック解除用操作部に圧接したりした際には、ロックレバーが下方に撓んでロック解除用操作部がアダプタの係止孔から容易に外れてしまう虞がある。
【０００９】
さらに、前記した特許文献３によれば、係止アームから係止解除操作アームが折り返し状に一体形成され、当該係止解除操作アームにより後方に引く操作を受けて係止アームを逆向きに撓ませることから、係止解除操作アーム（係止アーム）の下部側には撓み動作を許容するための隙間が常に存在する。このため光コネクタに意図しない強制的引き抜き作用が働いたり、光コネクタの周囲から障害物が不用意に係止アームに圧接したりした際には当該係止アームが下方に撓んでアダプタの係止孔から容易に外れてしまう虞がある。
【００１０】
そこで、本発明は、叙上のような従来存した諸事情に鑑み案出されたもので、光コネクタが光アダプタに挿入され、光コネクタのロックレバーの係止部が光アダプタの係止孔に係合しロックされた状態において、光コネクタに意図しない強制的引き抜き作用が働いたり、光コネクタの周囲から障害物がロックレバーに不用意に圧接したりした場合でも前記係止部が下方に撓んでしまうのを防止でき、光アダプタからの光コネクタの不用意な抜去を未然に防止できるものとした光コネクタを提供することを目的とする。
【課題を解決するための手段】
【００１１】
上述した課題を解決するために、本発明にあっては、フェルールが各保持された左右一対のフェルールハウジングと、該フェルールハウジングに装着されるスライドカバーと、前記左右一対のフェルールハウジングを挟むようにスライドカバーの中央に形成されたタブスライドガイド孔と、該タブスライドガイド孔の上部壁面にコネクタ挿抜方向に平行にして突設し片持支持された状態となって上下方向へ弾性変形可能となしたロックレバーと、前記スライドカバーの後方側からタブスライドガイド孔に挿入された回転操作可能なタブと、によって形成された光コネクタであって、前記タブ先端に係止作動部が形成され、当該タブを左右何れかの方向に回転させることで、ロックレバーの動きを前記タブの係止作動部によって制限可能に形成したことを特徴とする。
【００１２】
前記タブの係止作動部は、正面視で矩形、長円形、楕円形、小判型のいずれかの形状を呈していることを特徴とする。
【００１３】
前記タブの係止作動部の長手方向両側辺の中央には凸部が各形成されており、当該タブを回転させることで、前記タブスライドガイド孔の下部内壁面に形成された下側凹条部に一方辺側の凸部が係合され、前記下側凹条部に対向する前記ロックレバーの下面に形成された上側凹条部に他方辺側の凸部が係合されることを特徴とする。
【００１４】
前記タブには、前記タブスライドガイド孔の内壁面に摺接支持される支持突起を有し、前記ロックレバーの下面には、前記タブの係止作動部側先端が摺接挟持される左右一対の係止突部を備えていることを特徴とする。
【００１５】
前記タブの後端側に大径の取っ手を備え、該取っ手には窪み部または凸状部が形成され、該窪み部または凸状部は、前記タブの回転による前記係止作動部の姿勢がどのような位置であるかを示す指示部として機能するよう形成したことを特徴とする。
【００１６】
前記タブは、その係止作動部の長さ方向が水平位置を保持することでロックレバーに対するロック解除状態となし、前記タブを角度９０°回して前記係止作動部の長さ方向が垂直位置を保持することでロックレバーに対するロック状態となすことを特徴とする。
【発明の効果】
【００１７】
本発明によれば、光コネクタが光アダプタに挿入され、光コネクタのロックレバーの係止部が光アダプタの係止孔に係合しロックされた状態において、光コネクタに意図しない強制的引き抜き作用が働いたり、光コネクタの周囲から障害物がロックレバーに不用意に圧接したりした場合でも前記係止部が下方に撓んでしまうのを防止でき、光アダプタからの光コネクタの不用意な抜去を未然に防止できるものとなり、諸々のプラグセキュリティシステムを構築可能にする。
【００１８】
すなわち、本発明は、タブ先端に係止作動部が形成され、当該タブを左右何れかの方向に回転させることで、ロックレバーの動きを前記タブの係止作動部によって制限可能に形成したので、光アダプタからの光コネクタの不用意な抜去を未然に防止することができるものである。
【００１９】
前記タブの係止作動部は、正面視で矩形、長円形、楕円形、小判型のいずれかの形状を呈しているので、前記係止作動部の長手方向が垂直となるようにタブを左右何れかに回転させるだけで、ロックレバーの動きを容易に制限することができる。
【００２０】
前記タブの係止作動部の長手方向両側辺の中央には凸部が各形成されており、当該タブを回転させることで、前記タブスライドガイド孔の下部内壁面に形成された下側凹条部に一方辺側の凸部が係合され、前記下側凹条部に対向する前記ロックレバーの下面に形成された上側凹条部に他方辺側の凸部が係合されるので、前記ロックレバーの動きを前記タブの係止作動部によって確実に制限することができる。しかも、前記タブの係止作動部両側の凸部が例えば「カチッ」という嵌合音を発しつつ各係合するので、前記ロックレバーが下方へ撓曲不可なロック状態となったことを確実に知ることができる。
【００２１】
前記タブには、前記タブスライドガイド孔の内壁面に摺接支持される支持突起を有し、前記ロックレバーの下面には、前記タブの係止作動部側先端が摺接挟持される左右一対の係止突部を備えているので、前記タブ全体は当該タブの支持突起と前記ロックレバーの係止突部とによって２点支持され、タブの回転操作が安定且つ確実に行えることとなる。また、ロック解除状態においては、取っ手を介してタブを後方へ引き抜くことで、ロックレバーの前記係止突部にタブの係止作動部が引っ掛かり、ロックレバーの前記係止部にモーメントが作用してロックレバーの係止部側は下方に撓曲する。これによって光アダプタから光コネクタを容易に外すことができる。
【００２２】
前記タブの後端側に大径の取っ手を備え、該取っ手には窪み部または凸状部が形成され、該窪み部または凸状部は、前記タブの回転による前記係止作動部の姿勢がどのような位置であるかを示す指示部として機能するよう形成されているので、例えば取っ手の窪み部または凸状部が上方に向けられているかまたは側方に向けられているかした場合には、ロックレバーは下方へ撓曲自在なロック解除状態（非ロック状態）となっているか、あるいはロックレバーは下方へ撓曲不可なロック状態となっているかを容易に知ることができる。
【００２３】
前記タブは、その係止作動部の長さ方向が水平位置を保持することでロックレバーに対するロック解除状態となし、前記タブを角度９０°回して前記係止作動部の長さ方向が垂直位置を保持することでロックレバーに対するロック状態となすので、タブの後端側での僅かな回転操作のみでロックレバーに対するロック解除状態とロック状態とを容易且つ瞬時に切り替えることができる。
【図面の簡単な説明】
【００２４】
【図１】本発明を実施するための一形態を示す光コネクタからタブが分解されている状態の斜視図である。
【図２】光コネクタへのタブの組立後の状態を示す斜視図である。
【図３】光コネクタへのタブの組立後の状態を斜め後方から視た斜視図である。
【図４】タブが非ロック（ロック解除）方向に回転した場合の光コネクタの正面図である。
【図５】タブがロック方向に回転した場合の光コネクタの正面図である。
【図６】光コネクタからタブが外されている状態を示し、（ａ）は平面図、（ｂ）は（ａ）のＡ−Ａ断面図である。
【図７】タブが非ロック（ロック解除）方向に回転した場合の光コネクタを示し、（ａ）は平面図、（ｂ）は（ａ）のＢ−Ｂ断面図である。
【図８】タブがロック方向に回転した場合の光コネクタを示し、（ａ）は平面図、（ｂ）は（ａ）のＣ−Ｃ断面図である。
【図９】光アダプタに光コネクタを接続する前の状態を示し、（ａ）は平面図、（ｂ）は（ａ）のＤ−Ｄ断面図である。
【図１０】光アダプタに光コネクタを接続した状態を示し、（ａ）は平面図、（ｂ）は（ａ）のＥ−Ｅ断面図である。
【図１１】タブの構成例を示すもので、（ａ）は平面図、（ｂ）は右側面図、（ｃ）は底面図、（ｄ）は左側面図、（ｅ）は正面図、（ｆ）は背面図、（ｇ）は（ｂ）のＦ−Ｆ断面図、（ｈ）は（ｃ）のＧ−Ｇ断面図である。
【発明を実施するための形態】
【００２５】
以下、図面を参照して本発明に係る光コネクタの実施の一形態を詳細に説明する。本発明に係る光コネクタ１は、後述するタブ１１の操作により光アダプタＱに対するプラグの係脱を可能にした機構となっている。
【００２６】
すなわち、図１乃至図１０に示すように、光コネクタ１は、フェルールＦが各保持された左右一対の角筒状のフェルールハウジングＦＨと、該フェルールハウジングＦＨに装着される横長矩形状のスライドカバー２とによって形成され、該スライドカバー２の左右側壁面に湾曲凹状の摘み部２Ａを有し且つ後端にフランジ部２Ｂを備えている。
【００２７】
また、前記左右一対のフェルールハウジングＦＨを挟むようにスライドカバー２の中央にはタブスライドガイド孔３が形成されており、該タブスライドガイド孔３の上部壁面には、弾性変形（復帰）可能なフックアーム状のロックレバー４がコネクタ挿抜方向に平行にして突設し片持支持された状態となって構成されている。すなわち、前記スライドカバー２の中央位置に所定の間隔（ロックレバーの横幅）を置いて前記左右一対のフェルールハウジングＦＨ間に設けられたタブスライドガイド孔３の両端側と前端が連通し、後述する押圧突起６の後方で閉鎖される２本一対のスリット４ａを設けることによって上下方向へ撓曲自在の前記ロックレバー４は形成される。
【００２８】
前記ロックレバー４の先端側上面には、光アダプタＱの係止孔ＱＡ（図９、図１０参照）に係合する前方傾斜面５ａを備えたフック爪状の係止部５が上方に向けて突出形成され、当該ロックレバー４の長手方向略中間には、手押操作によって光アダプタＱの係止孔ＱＡから係止部５を離脱解除するための平面視矩形状の押圧突起６が上方に向けて形成されている。この押圧突起６と係止部５との間の凹所４ｂに、前記光アダプタＱの挿入開口部ＱＢの開口端縁と、係止孔ＱＡの挿入開口部ＱＢ側の孔縁との間の狭幅部分が嵌合する（図１０参照）。
【００２９】
なお、この押圧突起６の上面には、三角波形の滑り止め溝が形成されている。また、前記ロックレバー４の幅方向両側には、後端側に前傾テーパ面７Ａを有する略直角三角形の係止突部７（図６（ｂ）参照）が下方に向けて対向形成されており、この係止突部７の間には、前記タブスライドガイド孔３に挿入される後述するタブ１１先端の係止作動部１５後方に備えた小径のネック部１４が挟持されつつ摺接するものとなっている。ちなみに、図６（ｂ）中、左右一対の係止突部７のうち片側一方のみが見えている状態となっている。
【００３０】
前記タブスライドガイド孔３の下部内壁面にはタブ１１挿入方向に沿って下側凹条部８が形成され、この下側凹条部８に対向して前記ロックレバー４の下面にはタブ１１挿入方向に沿って上側凹条部９が形成されている。これら両凹条部８、９は、タブスライドガイド孔３に挿入されるタブ１１先端の係止作動部１５両側に備えた凸部１５ａ、１５ｂが各係合するものである。
【００３１】
すなわち、前記タブ１１は、図１、図１１（ａ）〜図１１（ｈ）に示すように、円柱ロッド状の作動棒１２の後端側に大径の取っ手１３を備え、前記作動棒１２の先端側には小径のネック部１４を介して正面視で例えば矩形、長円形、楕円形、小判型等の係止作動部１５を備え、前記作動棒１２の略中間には支持突起１６を備えている。この支持突起１６は、前記タブスライドガイド孔３の内壁面に摺接支持され、また、前記ネック部１４は前記左右一対の係止突部７に挟持されるようにして摺接支持されている。さらに、前記係止作動部１５の長手方向両側辺の中央には凸部１５ａ、１５ｂが各形成されており、後端の取っ手１３を手で摘んでタブ１１を回転させることで、前記タブスライドガイド孔３の下部内壁面の下側凹条部８に一方辺側の凸部１５ａ（または１５ｂ）が係合され、下側凹条部８に対向する前記ロックレバー４の下面の上側凹条部９に他方辺側の凸部１５ｂ（または１５ａ）が係合されるものとなっている。
【００３２】
なお、前記取っ手１３の上下対称位置には矩形平面状の浅底の窪み部１７が形成されており、この窪み部１７に例えばコネクタコード情報、識別ナンバー、コードネーム等が記載されたシール（図示せず）が貼着される。この窪み部１７は、タブ１１の回転による前記係止作動部１５の姿勢が縦横どのような位置であるかを示す指示部として機能するよう形成されている。なお、前記指示部として機能する窪み部１７は凸状部（図示しない）に形成しても良い。
【００３３】
本実施形態では、例えば取っ手１３の窪み部１７（または凸状部）が上方（下方）に向けられている場合には、タブ１１先端の前記係止作動部１５の長さ方向が水平位置に向けられた状態となるように設定され、且つ前記作動棒１２の支持突起１６の位置は下方（上方）に向けられた状態となるように設定されている。また、取っ手１３の窪み部１７（または凸状部）が左右側方に向けられている場合には、タブ１１先端の前記係止作動部１５の長さ方向が垂直に向けられた状態となるように設定され、且つ前記作動棒１２の支持突起１６の位置は左右側方に向けられた状態となるように設定されている。
【００３４】
前記取っ手１３の一方の窪み部１７（または凸状部）が上方に向けられている状態から、当該取っ手１３を角度９０°だけ左右何れかの方向に回転させることで、前記タブ１１先端の前記係止作動部１５の長さ方向が水平位置から垂直位置に向けられるものとなっている。例えば、タブ１１の係止作動部１５の長さ方向が水平位置に向けられている場合には、当該タブ１１の係止作動部１５と前記ロックレバー４の係止部５との間に隙間が生じ、当該ロックレバー４は下方へ撓曲自在となる。このため押圧突起６の手押操作によって光アダプタＱの係止孔ＱＡからロックレバー４の係止部が解除されるロック解除状態となり、光アダプタＱからの光コネクタ１の抜去が可能となる。
【００３５】
一方、前記タブ１１の係止作動部１５の長さ方向が垂直位置に向けられている場合には、前記ロックレバー４の係止部５下面にタブ１１の係止作動部１５が当接し、前記タブスライドガイド孔３の下側凹条部８と、前記ロックレバー４の上側凹条部９に、前記タブ１１の係止作動部１５両側の凸部１５ａ、１５ｂが「カチッ」という音を発しつつ各係合することでロックレバー４は下方へ撓曲不可となる。このためロックレバー４の係止部５の動きがタブ１１の係止作動部１５によって阻止され、押圧突起６を手押操作しても光アダプタＱの係止孔ＱＡからロックレバー４の係止部５が解除できないロック状態となり、光アダプタＱからの光コネクタ１の抜去が不可能となる。
【００３６】
また、前記タブ１１の係止作動部１５とロックレバー４の係止部５との間に隙間が生じたロック解除状態において、取っ手１３を介してタブ１１を後方へ引き抜くと、前記ロックレバー４の幅方向左右両側にある係止突部７にタブ１１の係止作動部１５が引っ掛かり（図９（ｂ）参照）、ロックレバー４の係止部５にモーメントが作用して当該係止部５は下方に撓曲移動する。これによって光アダプタＱから光コネクタ１が容易に外せられる。
【００３７】
次に、以上のように構成された形態についての使用・動作の一例について説明する。
【００３８】
先ず、前記光コネクタ１にタブ１１を取付ける場合には、当該タブ１１の取っ手１３を手に持って、光コネクタ１の後方からタブスライドガイド孔３にタブ１１の係止作動部１５側先端を挿入する。
【００３９】
前記タブ１１の挿入後には、前記作動棒１２の支持突起１６が前記タブスライドガイド孔３の内壁面に摺接支持され、また前記ネック部１４は前記左右一対の係止突部７に挟持されるようにして摺接支持され、前記タブ１１全体は支持突起１６とネック部１４とによって２点支持される。
【００４０】
前記光アダプタＱに光コネクタ１を装着する場合には、前記タブ１１の係止作動部１５の長さ方向が水平位置に向けられるよう取っ手１３を左右どちらかに９０°回転させる。このとき、前記取っ手１３の窪み部１７（または凸状部）は上方に向けられている。するとタブ１１の係止作動部１５とロックレバー４の係止部５との間に隙間が生じ、当該ロックレバー４は下方へ撓曲自在なロック解除状態（非ロック状態）となる。
【００４１】
このロック解除状態で光アダプタＱの挿入開口部ＱＢ（図９、図１０参照）に光コネクタ１のフェルールＦ先端側を装着すると、光アダプタＱの挿入開口部ＱＢの縁部によりロックレバー４の係止部５の前方傾斜面５ａが押されていったん下方へ撓曲し、ロックレバー４の係止部５は自体の弾性復帰力によって光アダプタＱの係止孔ＱＡに係合する。ついで、タブ１１の係止作動部１５の長さ方向が垂直位置に向けられるよう取っ手１３を介してタブ１１を左右どちらかに９０°回転させる。
【００４２】
これにより、前記ロックレバー４の係止部５下面にタブ１１の係止作動部１５が当接し、前記タブスライドガイド孔３の下側凹条部８と、前記ロックレバー４の上側凹条部９に前記タブ１１の係止作動部１５両側の凸部１５ａ、１５ｂが「カチッ」という嵌合音を発しつつ各係合することでロックレバー４は下方へ撓曲不可なロック状態となる。
【００４３】
このとき、取っ手１３の窪み部１７（または凸状部）は側方に向けられ、且つタブ１１全体は支持突起１６と係止作動部１５とネック部１４とによって３点支持される。このためロックレバー４の係止部５の下方への動きがタブ１１の係止作動部１５によって阻止され、ロックレバー４の押圧突起６を手押操作しても光アダプタＱの係止孔ＱＡからロックレバー４の係止部５が解除できないロック状態となり、光アダプタＱからの光コネクタ１の抜去が不可能となる。
【００４４】
前記光アダプタＱから光コネクタ１を抜去する場合には、タブ１１の係止作動部１５の長さ方向が水平位置に向けられるよう取っ手１３を左右いずれかに９０°回転させる。するとタブ１１の係止作動部１５とロックレバー４の係止部５との間に隙間が生じ、当該ロックレバー４は下方へ撓曲自在となる。
【００４５】
このとき、取っ手１３の窪み部１７（または凸状部）は上方（または下方）に向けられ、且つタブ１１全体は支持突起１６とネック部１４とによって２点支持された状態となる。このためロックレバー４の押圧突起６の手押操作によって光アダプタＱの係止孔ＱＡからロックレバー４の係止部５が離脱可能なロック解除状態となり、光アダプタＱからの光コネクタ１の抜去が可能となる。
【００４６】
このロック解除状態において、取っ手１３を介してタブ１１を後方へ引き抜くと、前記ロックレバー４の幅方向左右両側にある、係止突部７にタブ１１の係止作動部１５が引っ掛かり、ロックレバー４の係止部５にモーメントが作用して当該係止部５は下方に撓曲移動する。これによって光アダプタＱから光コネクタ１が容易に外すことができる。
【００４７】
以上説明したように、本実施形態においては、前記タブ１１の係止作動部１５の長さ方向が水平位置を保持することでロックレバー４に対するロック解除状態となし、前記タブ１１を角度９０°回して前記係止作動部１５の長さ方向が垂直位置を保持することでロックレバー４に対するロック状態となすので、タブ１１の後端側に設けられた取っ手１３を僅かに回転操作させるだけのみでロックレバー４に対するロック解除状態とロック状態とを容易且つ瞬時に切り替えることができる。
【符号の説明】
【００４８】
Ｑ              光アダプタ
ＱＡ            係止孔
ＱＢ            挿入開口部
Ｆ              フェルール
ＦＨ            フェルールハウジング
１              光コネクタ
２              スライドカバー
２Ａ            摘み部
２Ｂ            フランジ部
３              タブスライドガイド孔
４              ロックレバー
４ａ            スリット
４ｂ            凹所
５              係止部
５ａ            前方傾斜面
６              押圧突起
７              係止突部
７Ａ            前傾テーパ面
８              下側凹条部
９              上側凹条部
１１            タブ
１２            作動棒
１３            取っ手
１４            ネック部
１５            係止作動部
１５ａ、１５ｂ  凸部
１６            支持突起
１７            窪み部
【図１】
2020042091.tif 000003
【図２】
2020042091.tif 000004
【図３】
2020042091.tif 000005
【図４】
2020042091.tif 000006
【図５】
2020042091.tif 000007
【図６】
2020042091.tif 000008
【図７】
2020042091.tif 000009
【図８】
2020042091.tif 000010
【図９】
2020042091.tif 000011
【図１０】
2020042091.tif 000012
【図１１】
2020042091.tif 000013